(57)【要約】【課題】ベッド床をその長手方向の分割する状態で小スペースに対応して折畳むことができるとともに、その折畳み作業を簡易に行なうことができる。【解決手段】長手方向に分割されるとともに、該分割部位を中心として山折状或いは谷折状に折畳み可能でかつほぼ水平状に展開可能に形成された、脚部を有する分割状のベッド床４ａ、４ｂと、この分割されたいずれか一方のベッド床４ａに対して前記折方向の傾動力を付与する回動可能な作動アーム１７と、この作動アーム１７を前記折方向に傾動させる動力手段２２とを備えてなる。【選択図】　図２
2004097563.tif 000002
【特許請求の範囲】
【請求項１】
長手方向に分割されるとともに、該分割部位を中心として山折状或いは谷折状に折畳み可能でかつほぼ水平状に展開可能に形成された、脚部を有する分割状のベッド床と、この分割されたいずれか一方のベッド床に対して前記折方向の傾動力を付与する回動可能な作動アームと、この作動アームを前記折方向に傾動させる動力手段とを備えてなるを特徴とする折畳みベッド。
【請求項２】
請求項１記載の折畳みベッドであって、分割されたいずれか一方のベッド床には前記折畳み時及び展開時に該ベッド床の移動を案内する車輪部を設けたことを特徴とする折畳みベッド。
【請求項３】
請求項１または２記載の折畳みベッドであって、分割状のベッド床をその折畳み状態で収納する収納庫を備えてなる折畳みベッド。
【発明の詳細な説明】
【０００１】
【発明が属する技術分野】
本発明は、とくに、保健室や休養室等に備えられるベッドに適した折畳みベッドに関するものである。
【０００２】
【従来の技術】
この種の折畳みベッドにあっては、矩形状に枠組したベッドフレームの短手方向の側板を２分割して内折れ状態とするとともにその長手方向の枠フレームどうしを重ね合わせるように折畳む構成のベッドが案出されている。（例えば、特許文献１参照。）。
【０００３】
【特許文献１】
実開昭５２−２０９６７号
【０００４】
【発明が解決しようとする課題】
しかしながら、上記した従来のものは、枠組したベッドフレーム自体をコンパクトに折畳むことができるものの、ベッドを構成するベッド床については、該ベッドフレームとともに折畳むことができず、別に収納する必要があった。
そこで、本発明は、ベッド床をその長手方向の分割する状態で小スペースに対応して折畳むことができるとともに、その折畳み作業を簡易に行なうことができる折畳みベッドを提供することにある。
【０００５】
【課題を解決するための手段】
上記した目的を達成するために、請求項１の発明は、長手方向に分割されるとともに、該分割部位を中心として山折状或いは谷折状に折畳み可能でかつほぼ水平状に展開可能に形成された、脚部を有する分割状のベッド床と、この分割されたいずれか一方のベッド床に対して前記折方向の傾動力を付与する回動可能な作動アームと、この作動アームを前記折方向に傾動させる動力手段とを備えてなるを要旨とするものである。
【０００６】
この構成によれば、動力手段により作動アームを前記折方向に傾動させることによって、分割状のベッド床を、その分割部位を中心として山折状或いは谷折状に折畳むことができるとともに、元のほぼ水平状に展開することができる。
【０００７】
請求項２の発明は、請求項１記載の折畳みベッドであって、分割されたいずれか一方のベッド床には前記折畳み時及び展開時に該ベッド床の移動を案内する車輪部を設けたことを要旨とするものである。
【０００８】
この構成によれば、ベッド床の折畳み時及び展開時に際し、該ベッド床の移動を車輪部によって案内することができ、ベッド床の折畳み時及び展開時の動作を円滑にすることができる。
【０００９】
請求項３の発明は、請求項１または２記載の折畳みベッドであって、分割状のベッド床をその折畳み状態で収納する収納庫を備えたことを要旨とするものである。
【００１０】
この構成によれば、収納庫に対し、分割状のベッド床その折畳み状態のままで衛生的に収納することができ、ベッドを備えた部屋（室）の空間部の環境を良化することができる。
【００１１】
【発明の実施の形態】
以下、本発明を具体化した実施の形態を図にしたがって詳述する。
図において、折畳みベッド１は、長手方向のほぼ中央部が山折り状に折畳み可能なベッド本体２と、該折畳み状態のベッド本体２を収納する収納庫３とから構成されている。
【００１２】
前記ベッド本体２は、大別すると、ほぼ偏平の矩形状に枠組み形成されたベッド床４ａ、４ｂと、このベッド床４ａ、４ｂの後端部側を所定の高さに支持する脚を兼ねた支持フレーム５と、該ベッド床４ａ、４ｂの前端部側を所定の高さに支持（全体を水平状に支持）する脚フレーム６とから構成されている。
【００１３】
このベッド床４は、その長手方向のほぼ中央部において２分割されていて、該２分割された一方側及び他方側のベッド床４ａ、４ｂの相対向する端面部（分割部）が例えば、蝶番構造の複数の連結金具７を介して山折り状に折畳み可能に連結されている。
【００１４】
前記支持フレーム５は、平面コ字状に枠組み形成されるとともに、例えば、フットボード（図示しない）を取付け可能に構成されていて、その両側フレーム５ａ、５ａに対し、前記ベッド床４の一方側のベッド床４ａのほぼ後端部寄りの両側がブラケット９及び支軸９ａを介して傾動可能に支承されている。
【００１５】
前記脚フレーム６は、前記ベッド床４の他方側のベッド床４ａのほぼ前端部寄りの両側下部から傾動可能に垂設された支持脚部１０、１０と、この支持脚部１０、１０の下端に装設された車輪部１１、１１と、この車輪部１１、１１を跨ぎかつ他方側のベッド床４ｂの前端部と所定の間隔をおいて立設された例えば、ヘッドボード（図示しない）を取付けるための取付けフレーム部１２、１２と、前記支持脚部１０、１０のほぼ中央下部寄りと取付けフレーム部１２、１２との間に横架された補強片１３、１３とから構成されている。
【００１６】
そして、前記連結金具７の枢支部の下部にはほぼＵ字状の保持脚１４が傾動可能に垂設されていて、ベッド床４全体の水平状態を保持する高さに設定され、この保持脚１４の下部横片と前記車輪部１１、１１間の支片１１ａとの間には連接杆１５が傾動可能に横架されている。
【００１７】
前記支持フレーム５の下部中央部にはブラケット１６を介して２枚で対のほぼくの字状の作動アーム１７が上下方向への傾動可能に軸支されており、その上方先端部には対の案内輪１８が回転可能に軸支され、該対の案内輪１８が前記一方側のベッド床４ａの下面ほぼ中央部長手方向に形成されたレール状の案内部材１９のほぼＣ形の案内溝２０内に転動可能に装設されている。
【００１８】
また、支持フレーム５の下部中央部にはブラケット２１を介して例えば、電動モータ及びウォーム、ホィールウォームやピニオン、ラック等の回転運動を直線運動に変換する機構からなる動力手段２２が傾動可能に装設されており、その本体部か突出された進退動（伸び出す前進方向と縮んで後退する方向）されるロッド２３の先端部が前記作動アーム１７の曲折部位に傾動可能に連接されている。
【００１９】
しかして、動力手段２２の作動によりロッド２３が伸び出して前進すると、作動アーム１７がブラケット１６の軸支部位を支点として図示（図２）時計方向（先端部が上位に位置される方向）に傾動されることにより、分割された一方のベッド床４ａが支持フレーム５の支軸９ａを支点として他方のベッド床４ｂとの連結部位を上方に持上げる方向に傾動され、これに追随して他方のベッド床４ｂが脚フレーム６の支持脚１０との傾動部位を支点として一方のベッド床４ａとの連結部位を上方に持上げる方向に傾動される。これによって、一方のベッド床４ａ及び他方のベッド床４ｂがその連結金具７を中心として山折状に折畳まれるものである。
【００２０】
この状態において、他方のベッド床４ｂの脚フレーム６の車輪部１１は、他方のベッド床４ｂの折畳みに追随してその折畳み方向に設置状態のまま前進移動して該他方のベッド床４ｂの折畳み動作を円滑にするものであり、また、脚フレーム６の支持脚８及び取付けフレーム部１２は、そのままの状態で車輪部１１とともに移動される。また、保持脚１４も連接杆１５の傾動によりその折畳み状態に対応するものである。
【００２１】
前記収納庫３はテーパ状の底板を有する直方体状から形成され、前記ベッド本体２の支持フレーム５側に立設されており、その開口部３ａから内部にかけて前記ベッド本体２における一方のベッド床４ａ及び他方のベッド床４ｂがほぼ水平状態において、その一方のベッド床４ａの一部及び支持フレーム５が収納状態で位置されるとともに、一方のベッド床４ａ及び他方のベッド床４ｂの山折状の折畳み状態まま該ベッド本体２全体を収納できるように構成されている。
【００２２】
そして、収納庫３の開口部３ａには、該開口部３ａを開閉するシャッター２４が巻上げ及び巻き戻し可能に装設されている。
【００２３】
本実施の形態の折畳みベッド１は上述のように構成されたものであり、図１及び図２の実線で示すベッド本体２における一方のベッド床４ａ及び他方のベッド床４ｂがほぼ水平状態において、動力手段２２の作動によりロッド２３が伸び出して前進すると、作動アーム１７がブラケット１６の軸支部位を支点として図示（図２）時計方向（先端部が上位に位置される方向）に傾動されることにより、分割された一方のベッド床４ａが支持フレーム５の支軸９ａを支点として他方のベッド床４ｂとの連結部位を上方に持上げる方向に傾動され、これに追随して他方のベッド床４ｂが脚フレーム６の支持脚８との傾動部位を支点として一方のベッド床４ａとの連結部位を上方に持上げる方向に傾動される。これによって、一方のベッド床４ａ及び他方のベッド床４ｂがその連結金具７を中心として山折状に自動的に折畳まれるものである。（図２仮想線参照）
【００２４】
この場合、他方のベッド床４ｂの脚フレーム部６の車輪部１１は、他方のベッド床４ｂの折畳みに追随してその折畳み方向に設置状態のまま前進移動して該他方のベッド床４ｂの折畳み動作を円滑にするものであり、また、脚フレーム６の支持脚８及び取付けフレーム１２部は、そのままの状態で車輪部１１とともに移動される。
【００２５】
そして、この一方のベッド床４ａ及び他方のベッド床４ｂがその連結金具７を中心として山折状に折畳まれた状態のまま、すなわち、ベッド本体２（折畳みベッド１全体）を収納庫３内に収納することができる。
【００２６】
また、収納庫３内からベッド本体２をほぼ水平状態に引出す場合は、動力手段２２を前述の逆に作動してそのロッド２３を縮んで後退する方向に作動し、作動アーム１７を図示反時計方向に傾動することによりベッド本体２、すなわち、一方のベッド床４ａ及び他方のベッド床４ｂをほぼ水平状態に自動的に引出し設置することができる。
【００２７】
なお、本実施の形態においては、、一方のベッド床４ａ及び他方のベッド床４ｂを山折状に折畳む構成としたが、該一方のベッド床４ａ及び他方のベッド床４ｂを谷折山折状に折畳む構成としてもよく、この場合は、その構成に伴って作動アーム１７の取付け状態が変更されるものである。
【００２８】
【発明の効果】
請求項１にあっては、動力手段により作動アームを前記折方向に傾動させることによって、分割状のベッド床を、その分割部位を中心として山折状或いは谷折状に自動的に折畳むことができるとともに、元のほぼ水平状に展開することができる。これによって、例えば、保健室等の環境を良化向上することができる。
【００２９】
請求項２の発明にあっては、ベッド床の折畳み時及び展開時に際し、該ベッド床の移動を車輪部によって案内することができ、ベッド床の折畳み時及び展開時の動作を円滑にすることができる。
【００３０】
請求項３の発明にあっては、収納庫に対し、分割状のベッド床その折畳み状態のままで衛生的に収納することができ、ベッドを備えた部屋（室）の空間部の環境を良化することができる。
【図面の簡単な説明】
【図１】本発明の実施の形態を示すの斜視図である。
【図２】一部断面を含む側面図である。
【図３】収納庫に対するベッド本体の収納状態を示す一部断面を含む側面図である。
【図４】作動アームにかかる構成を示す斜視図である。
【図５】一部断面を含む平面図である。
【図６】一部断面を含む正面図である。
【符号の説明】
１　折畳みベッド
２　ベッド本体
４ａ、４ｂ　ベッド床
５　支持フレーム
６　脚フレーム
７　連結金具
１７　作動アーム
２２　動力手段
【図１】
2004097563.tif 000003
【図２】
2004097563.tif 000004
【図３】
2004097563.tif 000005
【図４】
2004097563.tif 000006
【図５】
2004097563.tif 000007
【図６】
2004097563.tif 000008